(57)【要約】【課題】サービス利用可能施設であるか否かを容易に確認することができるようにする。【解決手段】  携帯端末１の記憶部１１には、ユーザが加入しているサービスに関する会員情報が記憶されている。施設２１乃至２３にある受け付けカウンタなどの所定の位置にそれぞれ用意されている非接触ICチップ３１乃至３３には、それらの施設が提携するサービスに関する提携情報が記憶されている。携帯端末１が非接触ICチップ３１にかざされたとき、非接触ICチップ３１に記憶されている提携情報の読み出しが行れ、読み出された提携情報と記憶部１１に記憶されている会員情報に基づいて、ユーザがいま訪れている施設２１が、会員向けサービスを利用できる施設であるか否かが判断される。会員向けサービスを利用できる施設であると判断された場合、その旨が表示部１３に表示される。本発明は、非接触ICチップと近距離通信が可能な携帯電話機に適用することができる。【選択図】図１
2006293793.tif 000002
【特許請求の範囲】
【請求項１】
携帯端末と、施設に用意される情報記憶媒体からなる表示システムにおいて、
前記携帯端末は、
ユーザに関する情報を記憶する記憶手段と、
前記情報記憶媒体に記憶されているその情報記憶媒体が用意される施設に関する情報を、前記情報記憶媒体から取得する取得手段と、
前記取得手段により取得された前記施設に関する情報と、前記記憶手段により記憶された前記ユーザに関する情報とに基づいて、前記施設に関する情報の取得元である前記情報記憶媒体が用意されている施設が、ユーザが所定のサービスを受けることができる施設であるか否かを判断する判断手段と、
前記判断手段による判断結果に基づいて、前記施設に関する情報の取得元である前記情報記憶媒体が用意されている施設が、ユーザが所定のサービスを受けることができる施設である場合、その旨を表示する表示制御手段と
を備え、
前記情報記憶媒体は、
前記施設に関する情報を記憶する記憶手段を備える
ことを特徴とする表示システム。
【請求項２】
施設に用意される情報記憶媒体に近接される携帯端末において、
ユーザに関する情報を記憶する記憶手段と、
前記情報記憶媒体に記憶されているその情報記憶媒体が用意される施設に関する情報を、前記情報記憶媒体から取得する取得手段と、
前記取得手段により取得された前記施設に関する情報と、前記記憶手段により記憶された前記ユーザに関する情報とに基づいて、前記施設に関する情報の取得元である前記情報記憶媒体が用意されている施設が、ユーザが所定のサービスを受けることができる施設であるか否かを判断する判断手段と、
前記判断手段による判断結果に基づいて、前記施設に関する情報の取得元である前記情報記憶媒体が用意されている施設が、ユーザが所定のサービスを受けることができる施設である場合、その旨を表示する表示制御手段と
を備えることを特徴とする携帯端末。
【請求項３】
前記施設に関する情報は、前記施設が提携するサービスの情報を少なくとも含み、
前記ユーザに関する情報は、ユーザが加入するサービスの情報を少なくとも含む
ことを特徴とする請求項２に記載の携帯端末。
【請求項４】
前記情報記憶媒体は、非接触ICチップである
ことを特徴とする請求項２に記載の携帯端末。
【請求項５】
施設に用意される情報記憶媒体に近接される携帯端末の情報処理方法において、
ユーザに関する情報を記憶させる記憶制御ステップと、
前記情報記憶媒体に記憶されているその情報記憶媒体が用意される施設に関する情報を、前記情報記憶媒体から取得する取得ステップと、
前記取得ステップの処理により取得された前記施設に関する情報と、前記記憶制御ステップの処理により記憶された前記ユーザに関する情報とに基づいて、前記施設に関する情報の取得元である前記情報記憶媒体が用意されている施設が、ユーザが所定のサービスを受けることができる施設であるか否かを判断する判断ステップと、
前記判断ステップによる判断結果に基づいて、前記施設に関する情報の取得元である前記情報記憶媒体が用意されている施設が、ユーザが所定のサービスを受けることができる施設である場合、その旨を表示する表示制御ステップと
を含むことを特徴とする情報処理方法。
【請求項６】
施設に用意される情報記憶媒体に近接される携帯端末における情報処理をコンピュータに実行させるプログラムであって、
ユーザに関する情報を記憶させる記憶制御ステップと、
前記情報記憶媒体に記憶されているその情報記憶媒体が用意される施設に関する情報を、前記情報記憶媒体から取得する取得ステップと、
前記取得ステップの処理により取得された前記施設に関する情報と、前記記憶制御ステップの処理により記憶された前記ユーザに関する情報とに基づいて、前記施設に関する情報の取得元である前記情報記憶媒体が用意されている施設が、ユーザが所定のサービスを受けることができる施設であるか否かを判断する判断ステップと、
前記判断ステップによる判断結果に基づいて、前記施設に関する情報の取得元である前記情報記憶媒体が用意されている施設が、ユーザが所定のサービスを受けることができる施設である場合、その旨を表示する表示制御ステップと
を含むことを特徴とするプログラム。
【発明の詳細な説明】
【技術分野】
【０００１】
本発明は、表示システム、携帯端末、情報処理方法、プログラムに関し、特に、ユーザが訪れている施設が、そのユーザがサービスを受けることができる施設であるか否かを容易に確認することができるようにした表示システム、携帯端末、情報処理方法、プログラムに関する。
【背景技術】
【０００２】
従来より、顧客誘因の手段として会員カードによる提携割引の仕組みがある。これは、ユーザがあるサービスに加入し、そのサービスの会員となっている場合において、サービス事業者から発行されたカードを、そのサービス事業者と提携している他の事業者の店舗などで提示することによって、ユーザが、商品購入時の代金の割引などの特典を受けることができるものである。
【０００３】
ところで、非接触ICチップが内蔵された携帯電話機を用いて、駅の改札口の出入りを管理したり、商品の代金を支払ったりする技術については特許文献１に開示されている。
【特許文献１】特開２００３−１４１４７７号公報
【発明の開示】
【発明が解決しようとする課題】
【０００４】
しかしながら、上述したような提携割引の仕組みには次のような問題があった。
【０００５】
すなわち、いま訪れている施設が、提携割引を受けることができる施設であるか否かを判断するためには、ユーザは、自身が加入するサービスを運営する事業者から提供された「提携施設ハンドブック」なる冊子を用いて、利用地域、施設名などからそれを確認する必要があるが、そのような確認作業が煩雑であるという問題があった。
【０００６】
１つのサービスが提携する施設の数が数百におよぶところもあり、この場合、ユーザは、施設の利用時にそれを確認することは非常に煩雑である。ユーザは、「提携施設ハンドブック」を常に携行しているとは限らない。
【０００７】
また、いま訪れている施設が、提携割引を受けることができる施設であるか否かを判断する手段として、自身で調べるのではなく、加入するサービスで発行されたカードを施設の受け付け担当の人などに提示し、この施設が提携割引を受けることができる施設であるかを尋ねることも考えられるが、特に、ユーザが多くのサービスに加入しており、それらの会員カードを持っている場合、会員カードを１つずつ提示して、この会員カードでは提携割引を受けることができるか、といったことを順次尋ねることに対して抵抗感がある。
【０００８】
施設側も（受け付け担当の人なども）、提示された会員カードが、提携割引を受けることができるサービスのものであるかどうかを、多数のサービスの中から調べることは煩雑である。
【０００９】
本発明はこのような状況に鑑みてなされたものであり、ユーザが訪れている施設が、そのユーザがサービスを受けることができる施設であるか否かを容易に確認することができるようにするものである。
【課題を解決するための手段】
【００１０】
本発明は、ユーザに関する情報を記憶する記憶手段／ステップと、情報記憶媒体に記憶されているその情報記憶媒体が用意される施設に関する情報を、情報記憶媒体から取得する取得手段／ステップと、取得手段／ステップにより取得された施設に関する情報と、前記記憶手段／ステップにより記憶されたユーザに関する情報とに基づいて、施設に関する情報の取得元である情報記憶媒体が用意されている施設が、ユーザが所定のサービスを受けることができる施設であるか否かを判断する判断手段／ステップと、判断手段／ステップによる判断結果に基づいて、施設に関する情報の取得元である情報記憶媒体が用意されている施設が、ユーザが所定のサービスを受けることができる施設である場合、その旨を表示する表示制御手段／ステップとを備えることを特徴とする。
【００１１】
ここで、施設に関する情報には、施設が提携するサービスの情報が少なくとも含まれ、ユーザに関する情報には、ユーザが加入するサービスの情報が少なくとも含まれるようにすることができる。
【００１２】
本発明においては、ユーザに関する情報が記憶され、情報記憶媒体に記憶されているその情報記憶媒体が用意される施設に関する情報が、情報記憶媒体から取得され、施設に関する情報と、ユーザに関する情報とに基づいて、施設に関する情報の取得元である情報記憶媒体が用意されている施設が、ユーザが所定のサービスを受けることができる施設であるか否かが判断される。また、判断結果に基づいて、施設に関する情報の取得元である情報記憶媒体が用意されている施設が、ユーザが所定のサービスを受けることができる施設である場合、その旨が表示される。
【発明の効果】
【００１３】
本発明によれば、ユーザが訪れている施設が、そのユーザがサービスを受けることができる施設であるか否かを容易に確認することが可能となる。
【発明を実施するための最良の形態】
【００１４】
以下に本発明の実施の形態を説明するが、本明細書に記載の発明と、発明の実施の形態との対応関係を例示すると、次のようになる。この記載は、請求項に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００１５】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により追加される発明の存在を否定するものではない。
【００１６】
請求項１に記載の表示システムは、携帯端末（例えば、図１の携帯端末１）と、施設に用意される情報記憶媒体（例えば、図１の非接触ICチップ３１乃至３３）からなる表示システム（例えば、図１の利用可能施設表示システム）であって、そのうちの前記携帯端末は、ユーザに関する情報（例えば、会員情報）を記憶する記憶手段（例えば、図２の会員情報データベース１１Ａ）と、前記情報記憶媒体に記憶されているその情報記憶媒体が用意される施設に関する情報（例えば、提携情報）を、前記情報記憶媒体から取得する取得手段（例えば、図３の提携情報取得部６２）と、前記取得手段により取得された前記施設に関する情報と、前記記憶手段により記憶された前記ユーザに関する情報とに基づいて、前記施設に関する情報の取得元である前記情報記憶媒体が用意されている施設が、ユーザが所定のサービスを受けることができる施設であるか否かを判断する判断手段（例えば、図３の比較部６３）と、前記判断手段による判断結果に基づいて、前記施設に関する情報の取得元である前記情報記憶媒体が用意されている施設が、ユーザが所定のサービスを受けることができる施設である場合、その旨を表示する表示制御手段（例えば、図３の表示制御部６４）とを備え、前記情報記憶媒体は、前記施設に関する情報を記憶する記憶手段（例えば、図２の提携情報データベース５２Ａ）を備えることを特徴とする。
【００１７】
請求項２に記載の携帯端末は、施設に用意される情報記憶媒体（例えば、図１の非接触ICチップ３１乃至３３）に近接される携帯端末（例えば、図１の携帯端末１）であって、ユーザに関する情報（例えば、会員情報）を記憶する記憶手段と、前記情報記憶媒体に記憶されているその情報記憶媒体が用意される施設に関する情報（例えば、提携情報）を、前記情報記憶媒体から取得する取得手段（例えば、図３の提携情報取得部６２）と、前記取得手段により取得された前記施設に関する情報と、前記記憶手段により記憶された前記ユーザに関する情報とに基づいて、前記施設に関する情報の取得元である前記情報記憶媒体が用意されている施設が、ユーザが所定のサービスを受けることができる施設であるか否かを判断する判断手段（例えば、図３の比較部６３）と、前記判断手段による判断結果に基づいて、前記施設に関する情報の取得元である前記情報記憶媒体が用意されている施設が、ユーザが所定のサービスを受けることができる施設である場合、その旨を表示する表示制御手段（例えば、図３の表示制御部６４）とを備えることを特徴とする。
【００１８】
請求項５に記載の情報処理方法は、施設に用意される情報記憶媒体（例えば、図１の非接触ICチップ３１乃至３３）に近接される携帯端末（例えば、図１の携帯端末１）の情報処理方法であって、ユーザに関する情報（例えば、会員情報）を記憶させる記憶制御ステップ（例えば、図４のステップＳ２）と、前記情報記憶媒体に記憶されているその情報記憶媒体が用意される施設に関する情報（例えば、提携情報）を、前記情報記憶媒体から取得する取得ステップ（例えば、図６のステップＳ２４）と、前記取得ステップの処理により取得された前記施設に関する情報と、前記記憶制御ステップの処理により記憶された前記ユーザに関する情報とに基づいて、前記施設に関する情報の取得元である前記情報記憶媒体が用意されている施設が、ユーザが所定のサービスを受けることができる施設であるか否かを判断する判断ステップ（例えば、図６のステップＳ２５）と、前記判断ステップによる判断結果に基づいて、前記施設に関する情報の取得元である前記情報記憶媒体が用意されている施設が、ユーザが所定のサービスを受けることができる施設である場合、その旨を表示する表示制御ステップ（例えば、図６のステップＳ２６）とを含むことを特徴とする。
【００１９】
なお、請求項６に記載のプログラムにおいても、各ステップが対応する実施の形態（但し一例）は、請求項５に記載の情報処理方法と同様である。
【００２０】
以下、本発明の実施の形態について図を参照して説明する。
【００２１】
図１は、本発明の一実施の形態に係る利用可能施設表示システムの構成例を示す図である。この表示システムは、携帯端末１と、施設２１乃至２３内にある受け付けカウンタなどの所定の位置にそれぞれ用意されている非接触ICチップ３１乃至３３から構成される。
【００２２】
携帯端末１は、例えば、携帯電話機で構成され、内蔵する記憶部１１からの会員情報などの各種情報の読み出し、または、記憶部１１に対する各種の情報の書き込みが可能になされている。また携帯端末１は、外部にある非接触ICチップに記憶されているデータを非接触の通信により読み出すことができる近距離無線通信部１２を有しており、その筐体が非接触ICチップ３１乃至３３にかざされたとき、近距離無線通信部１２を介して、非接触ICチップ３１乃至３３から、提携情報などの各種情報の読み出しが可能になされている。
【００２３】
ここで、携帯端末１に記憶されている会員情報は、携帯端末１のユーザが第３者に対して公開を許可する情報であり、それには、例えば、携帯端末１のユーザが加入しているサービスの識別情報、サービスで割り当てられている会員番号、会員番号の有効期限などの情報が含まれる。
【００２４】
また、非接触ICチップ３１乃至３３に記憶されている提携情報には、例えば、施設２１乃至２３が提携するサービスの識別情報、サービスに加入している会員向けの、施設２１乃至２３において利用（受けることが）できる特典（会員向けサービス）に関する情報などが含まれる。
【００２５】
具体的には、あるクレジットサービスに加入している場合、ユーザは、そのクレジットサービスが提携している店舗で、商品の購入代金の割引などの特典を受けることができることがあり、ここでいうクレジットカードサービスの識別情報が、サービスの識別情報として会員情報と提携情報に含まれ、携帯端末１と非接触ICチップ３１乃至３３にそれぞれ記憶される。
【００２６】
携帯端末１は、非接触ICチップ３１乃至３３から読み出した提携情報と記憶部１１に記憶されている会員情報を比較し、例えば、サービスの識別情報が一致したことから、いまかざされている非接触ICチップが用意されている施設（いまユーザが訪れている施設）が、ユーザが加入しているサービスと提携している施設であり、そこでは、ユーザが会員向けサービスを利用できると判断した場合には、その旨を表示部１３に表示させる（その詳細は後述する）。
【００２７】
これにより、ユーザは、携帯端末１を、いま訪れている施設に用意されている非接触ICチップにかざし、表示部１３の表示を確認するだけで、その施設が会員向けサービスを利用することができる施設であるか否かを容易に、かつ、瞬時に把握することができる。すなわち、ユーザは、自身が加入するサービスの運営事業者から提供された冊子から、いま訪れている施設が会員向けサービスを利用することができる施設であるかを確認したり、施設の受け付け担当の人に、サービスで発行されているカードを提示し、会員向けサービスを利用することができる施設であるかを聞いたりする必要がない。
【００２８】
施設２１乃至２３の非接触ICチップ３１乃至３３は、携帯端末１がかざされたこと（近接されたこと）を検知して、記憶部５２の提携情報データベース５２Ａ（図２）に記憶されている提携情報を読み出し、送信する。
【００２９】
図２は、携帯端末１、および施設２１に用意されている非接触ICチップ３１の内部の構成例を示すブロック図である。なお、施設２２，２３にそれぞれ用意されている非接触ICチップ３２，３３も、基本的に非接触ICチップ３１と同様の構成を有するものであるため、図示は省略する。
【００３０】
携帯端末１の中央処理部４１は、入力部４２を介して入力されるユーザ操作に対応する信号に基づいて、会員情報を記憶部１１の会員情報データベース１１Ａに記憶（登録）させる。また中央処理部４１は、入力部４２として携帯端末１の筐体表面に設けられている無線通信開始ボタンの操作入力を受けたとき、非接触ICチップの探索コマンドを生成し、それをプロトコル変換部４３に供給する。さらに中央処理部４１は、近距離無線通信部１２およびプロトコル変換部４３を介して送信されてきた非接触ICチップ３１からの提携情報と、会員情報データベース１１Ａに記憶されている会員情報を比較し、施設２１が会員向けサービスを利用できる施設であると判断した場合、その旨を表示部１３に表示させる。
【００３１】
プロトコル変換部４３は、中央処理部４１から供給された非接触ICチップの探索コマンドを所定の送信プロトコルに変換し、近距離無線通信部１２に供給する。またプロトコル変換部４３は、近距離無線通信部１２を介して非接触ICチップ３１から送信されてきた返信コマンド（提携情報）を内部のプロトコルに変換し、それを中央処理部４１に供給する。
【００３２】
近距離無線通信部１２は、外部の非接触ICチップからのデータの読み出し、または非接触ICチップに対するデータの書き込みが可能なリーダライタであり（少なくとも、リーダ機能だけを有していればよい）、コマンドに応じた変調波を電磁波として輻射し、それに対するアンテナ（図示せず）の負荷の変化に基づいて、非接触ICチップ３１が近接されたか否かを検出する。そして、近距離無線通信部１２は、近接された非接触ICチップ３１の近距離無線通信部５１と各種情報を送受信する。また、近距離無線通信部１２は、非接触ICチップ３１からの返信コマンドを復調することによって得られた提携情報を、プロトコル変換部４３に供給する。
【００３３】
非接触ICチップ３１の近距離無線通信部５１は、図示せぬリーダライタ（例えば、施設２１の管理者が操作する機器に設けられているリーダライタ（少なくとも、ライタ機能だけを有していればよい））から送信されてきた、施設２１が提供する会員向けサービスに関する提携情報を記憶部５２の提携情報データベース５２Ａに記憶させる。また近距離無線通信部５１は、携帯端末１がかざされたときに近距離無線通信部１２から輻射される電磁波に応じて、記憶部５２の提携情報データベース５２Ａに記憶されている提携情報を読み出し、それを近距離無線通信部１２に通知（送信）する。
【００３４】
なお、携帯端末１の会員情報の登録は、入力部１２に対するユーザ操作により行われるだけでなく、例えば、ユーザが加入するサービスの運営事業者が提供する２次元バーコード（会員情報を表す２次元バーコード）を携帯端末１に設けられるデジタルカメラ（図示せず）で撮像することにより行われたり、あるいは、インターネットを介して、事業者が管理するサイトから会員情報をダウンロードすることにより行われるようにしてもよい。
【００３５】
図３は、携帯端末１の機能構成例を示すブロック図である。図３に示す携帯端末１の機能部のうちの少なくとも一部は、中央処理部４１により所定のプログラムが実行されることによって実現される。
【００３６】
会員情報取得部６１は、入力部４２を介して入力される会員情報を取得し、それを会員情報データベース１１Ａに記憶させる。
【００３７】
提携情報取得部６２は、図２の近距離無線通信部１２を制御して非接触ICチップ３１から送信されてきた提携情報を取得し、それを比較部６３に供給する。
【００３８】
比較部６３は、会員情報データベース１１Ａに記憶されている会員情報と、提携情報取得部６２から供給された提携情報を比較し、施設２１が会員向けサービスを利用できる施設であるか否かを判断する。比較部６３は、例えば、会員情報に含まれるサービスの識別情報と、提携情報に含まれるサービスの識別情報が一致する場合、施設２１が会員向けサービスを利用できる施設であると判断し、一致しない場合、施設２１が会員向けサービスを利用できる施設ではないと判断する。比較部６３は、判断結果を表示制御部６４に供給する。
【００３９】
表示制御部６４は、比較部６３による判断結果に基づいて、適宜、ユーザに通知するための画面（会員向けサービス利用可能施設である旨）を表示部１３に表示させる。また、表示制御部６４は、画面表示とともに、必要に応じて、会員向けサービス利用可能施設である旨を通知するための音声をスピーカ（図示せず）から出力させる。
【００４０】
次に、図４のフローチャートを参照して、携帯端末１が実行する、会員情報登録処理について説明する。
【００４１】
ステップＳ１において、会員情報取得部６１は、例えば、入力部４２を介して入力される会員情報を取得する。ステップＳ２において、会員情報取得部６１は、ステップＳ１の処理で取得した会員情報を記憶部１１の会員情報データベース１１Ａに記憶（登録）させる。
【００４２】
次に、図５のフローチャートを参照して、非接触ICチップ３１が実行する、提携情報登録処理について説明する。
【００４３】
ステップＳ１１において、近距離無線通信部５１は、図示せぬリーダライタからのコマンドを実行することにより、施設２１が提供する会員向けサービスに関する提携情報を記憶部５２の提携情報データベース５２Ａに記憶させる。リーダライタから送信されてくるコマンドには、提携情報とともに、それをフラッシュメモリ（記憶部５２）に書き込むことを指示する情報が含まれている。
【００４４】
次に、図６のフローチャートを参照して、携帯端末１が非接触ICチップ３１に記憶されている提携情報を取得し、画面表示を行う処理について説明する。
【００４５】
ステップＳ２１において、携帯端末１の提携情報取得部６２（中央処理部４１）は、無線通信開始ボタンの操作入力を受ける。
【００４６】
ステップＳ２２において、提携情報取得部６２は、提携情報を記憶する非接触ICチップの探索コマンドの送信を開始させる。すなわち、提携情報取得部６２は、探索コマンドを生成し、それをプロトコル変換部４３で所定の送信プロトコルに変換させ、近距離無線通信部１２に供給させる。所定のプロトコルに変換された探索コマンドが供給されてきたとき、近距離無線通信部１２は、その探索コマンドに応じた変調波を電磁波として輻射することによって、探索コマンドの送信を行う。
【００４７】
ステップＳ２３において、提携情報取得部６２は、輻射した電磁波に対するアンテナの負荷の変化に基づいて、施設２１乃至２３に用意されている非接触ICチップ３１乃至３３のいずれかに近接されたことを検知する。
【００４８】
携帯端末１が近接されたとき、ステップＳ３１において、非接触ICチップ３１の近距離無線通信部５１は、携帯端末１の近距離無線通信部１２から輻射される電磁波に応じて、記憶部５２の提携情報データベース５２Ａに記憶されている提携情報を読み出し、読み出した提携情報を含む返信コマンドを近距離無線通信部１２に返信する。
【００４９】
ステップＳ２４において、提携情報取得部６２は、非接触ICチップ３１の近距離無線通信部５１からの返信コマンドに基づいて得られた提携情報を比較部６３に出力する。
【００５０】
ステップＳ２５において、比較部６３は、ステップＳ２４の処理で取得された非接触ICチップ３１からの提携情報と、会員情報データベース１１Ａに記憶されている会員情報を比較し、近接された非接触ICチップ３１を用意している施設２１が会員向けサービスを利用できる施設であるか否かを判断する。そして、比較部６３は、例えば、提携情報に含まれるサービスの識別情報と、会員情報に含まれるサービスの識別情報が一致した場合、その比較結果を表示制御部６４に供給する。
【００５１】
ステップＳ２６において、表示制御部６４は、比較部６３による比較結果に基づいて、例えば、「提携施設です」、あるいは「割引サービスが受けられます」といったメッセージを表示部１３に表示させる。
【００５２】
ステップＳ２７において、提携情報取得部６２は、輻射した電磁波に対するアンテナの負荷の変化に基づいて、近接されていた非接触ICチップ３１から遠ざけられたことを検知し、処理は終了される。
【００５３】
以上のように、ユーザは、施設２１乃至２３にそれぞれ用意されている非接触ICチップ３１乃至３３に携帯端末１をかざすだけで、その施設がサービス利用可能施設であるか否かを容易に、かつ、瞬時に把握することができる。
【００５４】
また以上においては、会員向けサービスを利用できる施設である旨がメッセージとして表示されるようにしたが、本発明はこれに限られるものではなく、例えば、具体的な特典の内容を表す会員向けサービス情報が提携情報に含まれている場合、その会員向けサービス情報に基づいて、その施設で受けられるサービスの一覧が表示されるようにしてもよい。
【００５５】
また、以上においては、携帯端末１による提携情報の取得は、非接触の通信により行われるものとしたが、接触型の通信により行われるようにしてもよい。
【００５６】
また、以上においては、非接触ICチップ３１内に記憶部５２が設けられるものとしたが、記憶部は、非接触ICチップ３１の外部に接続されるようにしてもよい。
【００５７】
さらに、以上においては、携帯端末１側にリーダ（近距離無線通信部１２）が設けられ、施設側に非接触ICチップが設けられるものとしたが、反対に、携帯端末１側に非接触ICチップが設けられ、施設側にリーダが設けられるようにしてもよい。
【００５８】
この場合、施設の所定の位置に設けられるリーダにユーザが携帯端末１をかざしたとき、そのリーダにより、携帯端末１の非接触ICチップに記憶されている会員情報が読み出され、読み出された会員情報と、リーダにあらかじめ用意されている提携情報とに基づいて、携帯端末１をかざしているユーザが、サービスを受けることができるユーザであるか否かが判断される。すなわち、この場合、ユーザは、所定の操作を行い、携帯端末１の非接触ICチップに、自分が加入しているサービスの会員情報をあらかじめ登録しておく必要がある。
【００５９】
例えば、サービスを受けることができるユーザであると判断された場合、その旨を通知するメッセージが、リーダの近傍に設けられる表示部に表示され、携帯端末１のユーザは、その表示を確認することにより、いま訪れている施設でサービスを受けることができることを把握することができる。
【００６０】
なお、このように、携帯端末１側に非接触ICチップが設けられ、施設側にリーダが設けられることによっても、ユーザは、携帯端末１をかざすだけで、いま訪れている施設がサービス利用可能施設であるか否かを把握することができるが、通常、非接触ICチップに会員情報などを書き込むためには、非接触ICチップのメモリ領域へのアクセス（書き込み）の許可を所定のサーバなどから得る必要があり、ユーザの操作が煩雑になることから、図１に示されるように、携帯端末１側にリーダが設けられ、施設側に非接触ICチップが設けられる構成の方が、容易さという点では好ましい。
【００６１】
上述した一連の処理は、ハードウェアにより実行させることもできるが、ソフトウェアにより実行させることもできる。この場合、そのソフトウェアを実行させる携帯端末１は、例えば、図７に示されるようなコンピュータにより構成される。
【００６２】
図７において、CPU（Central Processing Unit）７１は、ROM（Read Only Memory）７２に記憶されているプログラム、または、記憶部７８からRAM（Random Access Memory）７３にロードされたプログラムに従って各種の処理を実行する。RAM７３にはまた、CPU７１が各種の処理を実行する上において必要なデータなどが適宜記憶される。
【００６３】
CPU７１、ROM７２、およびRAM７３は、バス７４を介して相互に接続されている。このバス７４にはまた、入出力インタフェース７５も接続されている。
【００６４】
入出力インタフェース７５には、キーボード、マウスなどよりなる入力部７６、LCD（Liquid Crystal Display）などよりなるディスプレイ、並びにスピーカなどよりなる出力部７７、ハードディスクなどより構成される記憶部７８、インターネットなどのネットワークを介しての通信処理を行う通信部７９が接続されている。
【００６５】
入出力インタフェース７５にはまた、必要に応じてドライブ８０が接続される。ドライブ８０には、磁気ディスク、光ディスク、光磁気ディスク、あるいは半導体メモリなどよりなるリムーバブルメディア８１が適宜装着され、それから読み出されたコンピュータプログラムが必要に応じて記憶部７８にインストールされる。
【００６６】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【００６７】
この記録媒体は、図７に示されるように、装置本体とは別に、ユーザにプログラムを提供するために配布される、プログラムが記録されている磁気ディスク（フレキシブルディスクを含む）、光ディスク（CD-ROM（Compact Disk-Read Only Memory），DVD（Digital Versatile Disk）を含む）、光磁気ディスク（MD（登録商標）（Mini-Disk）を含む）、もしくは半導体メモリなどよりなるリムーバブルメディア８１により構成されるだけでなく、装置本体に予め組み込まれた状態でユーザに提供される、プログラムが記録されているROM７２や、記憶部７８に含まれるハードディスクなどで構成される。
【００６８】
なお、本明細書において、各ステップは、記載された順序に従って時系列的に行われる処理はもちろん、必ずしも時系列的に処理されなくとも、並列的あるいは個別に実行される処理をも含むものである。
【００６９】
また、本明細書において、システムとは、複数の装置により構成される装置全体を表わすものである。
【図面の簡単な説明】
【００７０】
【図１】本発明の一実施の形態に係る利用可能施設表示システムの構成例を示す図である。
【図２】携帯端末および非接触ICチップの内部の構成例を示すブロック図である。
【図３】携帯端末の機能構成例を示すブロック図である。
【図４】会員情報登録処理を説明するフローチャートである。
【図５】提携情報登録処理を説明するフローチャートである。
【図６】携帯端末が非接触ICチップに記憶されている提携情報を取得する処理を説明するフローチャートである。
【図７】コンピュータの構成例を示すブロックである。
【符号の説明】
【００７１】
１  携帯端末，  １１  記憶部，  １２  近距離無線通信部，  １３  表示部，  ３１乃至３３  非接触ICチップ，  ４１  中央処理部，  ４２  入力部，  ５１  近距離無線通信部，  ５２  記憶部，  ６１  会員情報取得部，  ６２  提携情報取得部，  ６３  比較部，  ６４  表示制御部
【図１】
2006293793.tif 000003
【図２】
2006293793.tif 000004
【図３】
2006293793.tif 000005
【図４】
2006293793.tif 000006
【図５】
2006293793.tif 000007
【図６】
2006293793.tif 000008
【図７】
2006293793.tif 000009